(57)【要約】【課題】  簡単な構造で、デッキボードから外れ難く、操作が簡単で、デザイン性が優れ、コストを低減する。【解決手段】  デッキボードの把手構造１は、デッキボード２に貫通孔３が穿孔されることにより形成される孔部４と、孔部４の貫通孔３に対して、挿脱可能に装着される把手部５と、把手部５の貫通孔３からの抜けを防止する抜け止め部６と、を備え、抜け止め部６が凹部６ｃを備え、貫通孔３に把手部５を下方から挿通し、抜け止め部６の凹部６ｃが貫通孔３に嵌合することにより、孔部４に固定され、把手部５がストラップテープであり、抜け止め部６に貫設穴７が形成され、貫設穴７にストラップテープの下部が抜き取り部６の弾性力によって固定され、把手部５の抜き取りが困難な状態である。【選択図】  図３
2015105058.tif 000002
【特許請求の範囲】
【請求項１】
デッキボードに貫通孔が穿孔されることにより形成される孔部と、
前記孔部の貫通孔に対して装着される把手部と、
前記把手部の前記貫通孔からの抜けを防止する抜け止め部と、を備え、
前記抜け止め部が凹部を備え、
前記抜け止め部の凹部が前記孔部に嵌合することにより、前記孔部に固定されることを特徴とするデッキボードの把手構造。
【請求項２】
前記把手部がストラップテープであり、前記抜け止め部に貫設穴が形成され、前記貫設穴に前記把手部を下方から挿通し、該貫設穴に前記ストラップテープの下部が前記抜き取り部の弾性力によって固定される請求項１のデッキボードの把手構造。
【請求項３】
前記把手部と抜け止め部とが一体成型された樹脂成形品であり、貫通孔に前記把手部を下方から挿通し、前記孔部に前記抜け止め部の凹部が弾性力によって固定される請求項１のデッキボードの把手構造。
【発明の詳細な説明】
【技術分野】
【０００１】
本発明は、自動車の座席後方からバックドアまでの間の、荷物の載置部として通常利用される部分の床面上に配設されるデッキボードの把手（とって）構造に関する。
【背景技術】
【０００２】
自動車、特にワゴン、ハッチバックなどの、バックドアを有する形式の自動車では、通常、乗員が着座する座席の背後からバックドアに至るまでの間のデッキ部を荷物の載置部として利用している。
【０００３】
乗用自動車の場合、デッキ部の床面上には、一般的に、比較的剛性のある、成形によって形成した、または非成形の板状体が配設されており、このような板状体をデッキボードと称される。デッキボードは、その上に荷物を載置し、また、その下に、荷物を収容する空間を設けるなどして、デッキ部を多様に利用可能とする働きをしている。
【０００４】
デッキ部へバックドア側からアクセスできる自動車では、デッキボードは、デッキボードに取り付けられた把手部を持ち上げて開閉可能な構成とされ、それによって、デッキボードの下方の空間を好適に利用可能としている。
【０００５】
従来、利用者がデッキボードの把手部を持ち上げる操作を容易にする構成として、デッキボードの端末に帯紐状の部材を取り付け、これを把手として利用可能とした構成が知られている。
【０００６】
特許文献１に記載の発明は、図３、図５に示す通り、ストラップテープの抜け止め構造が示され、その課題として蓋材を取り付けるための別部品が無くても自動車に設けた屈曲可能な内装材に蓋材を取り付けることが挙げられている。なお、同様な従来のストラップテープの取付構造を開示する発明は、特許文献２、特許文献３等、多数見受けられる。
【０００７】
特許文献４記載の発明は、脚部３１にフラップ部３２とブレース部材３３とを備え、これらが揺動して退避位置と伸張位置とをとることにより、引き抜きに対して固定可能とする発明である。
【０００８】
特許文献５記載の発明は、掛け輪状の外部取付部３０と係合部２８とを備えるクリップ部材１４を開示している。保持装置を対象とする点、クリップ部材１４は溝２２内でスライドまたは係合する点に特徴がある。
【０００９】
特許文献６記載の発明は、トランクのための緩衝材プラグを開示し、中心貫通孔（４）を有するベース（３）は、弾性体の貫通孔（２）の下部の端部に、確実に配置される。緩衝材プラグが緩められるか、または、落ちるのを防止する。
【先行技術文献】
【特許文献】
【００１０】
【特許文献１】特開2011-46348号公報
【特許文献２】特開2004-314839号公報
【特許文献３】特開平10-119650号公報
【特許文献４】特表2009-545711号公報
【特許文献５】特表2013-501676号公報
【特許文献６】中国実用新案第201457237号公報
【発明の概要】
【発明が解決しようとする課題】
【００１１】
しかしながら、特許文献１〜６に示す発明では、簡単な構造ではないこと、ベルトやストラップテープ等の取り付けや操作に手間がかかること、デッキボードからベルトやストラップテープが外れやすいこと、デザイン性が劣ること、コストがかかること等の問題があり、未だ十分ではなかった。
【課題を解決するための手段】
【００１２】
上記課題に鑑み、本発明は、デッキボードに貫通孔が穿孔されることにより形成される孔部と、前記孔部の貫通孔に対して装着される把手部と、前記把手部の前記貫通孔からの抜けを防止する抜け止め部と、を備え、前記抜け止め部が凹部を備え、前記抜け止め部の凹部が前記孔部に嵌合することにより、前記孔部に固定されることを特徴とするデッキボードの把手構造である。
【００１３】
前記把手部がストラップテープであり、前記抜け止め部に貫設穴が形成され、前記貫設穴に前記把手部を下方から挿通し、該貫設穴に前記ストラップテープの下部が前記抜き取り部の弾性力によって固定される請求項１のデッキボードの把手構造とすることが好ましい。
【００１４】
前記把手部と抜け止め部とが一体成型された樹脂成形品であり、貫通孔に前記把手部を下方から挿通し、前記孔部に前記抜け止め部の凹部が弾性力によって固定される請求項１のデッキボードの把手構造が好ましい。
【発明の効果】
【００１５】
本発明によるデッキボードの把手構造によって、簡単な構造で、デッキボードから外れ難く、操作が簡単で、デザイン性が優れ、コストを低減することができる。
【図面の簡単な説明】
【００１６】
【図１】（ａ）は本発明の実施例１のデッキボードの把手構造１の平面図、（ｂ）は（ａ）のＣ−Ｃ断面図である。
【図２】（ａ）（ｂ）は本発明の実施例１のデッキボードの把手構造のＡ−Ａ断面図であり、（ａ）は抜け止め部が孔部に固定された後、この抜け止め部の貫設穴に把手部が挿入される状態を示し、（ｂ）は、把手部の挿入動作が進み、その後、抜け止め部の貫設穴に把手部が固定された状態を示すものである。
【図３】実施例１の抜け止め部に把手部が挿通された状態を示す斜視図である。
【図４】実施例１の抜け止め部に把手部の変形例が挿通された状態を示す斜視図である。
【図５】（ａ）（ｂ）は、異なる角度から見た、実施例１の抜け止め部の斜視図である。
【図６】（ａ）は識別標識の例、（ｂ）は識別標識を把手部に形成した例を示す斜視図である。
【図７】（ａ）（ｂ）は本発明の実施例２のデッキボードの把手構造１０１の部分断面図であり、（ａ）は把手部が孔部の貫通孔に挿入され状態を示し、（ｂ）は、（ａ）の挿入動作が進み、その後、孔部に抜け止め部が固定された状態を示すものである。
【図８】（ａ）〜（ｄ）は、本発明実施例２の孔部以外の把手部と抜け止め部の外観を示すものであり、（ａ）は平面図、（ｂ）は斜視図、（ｃ）は正面図、（ｄ）は右側面図である。
【発明を実施するための形態】
【００１７】
本発明の実施例１によるデッキボードの把手構造１について、図１〜図５を参照して説明する。デッキボード２に貫通孔３が穿孔されることにより形成される孔部４と、孔部４の貫通孔３に対して、挿脱可能に装着される把手部５と、把手部５が貫通孔３から抜けることを防止する抜け止め部６と、を備え、抜け止め部６が凹部６ｃを備え、抜け止め部６の凹部６ｃが貫通孔３に嵌合し、貫通孔３に把手部５を下方から挿通することにより、孔部４に固定されることを特徴とする。
【００１８】
把手部５がストラップテープであり、抜け止め部６に貫設穴７が形成され、この貫設穴７にストラップテープを挿通し、その下部が抜け止め部６の弾性力によって固定される。貫設穴７に把手部５が抜き取り困難な状態で固定されている構造である。
【００１９】
デッキボード２の把手構造１の形状、構造等の詳細について、図面を参照して、より具体的に説明する。
【００２０】
デッキボード２は、ポリプロピレン樹脂、ナイロン樹脂などの熱可塑性樹脂から公知のブロー成形法によって形成するか、又は、木質ボード等により形成することができる。デッキボード２の表側外壁の表面に、所望の意匠を有する不織布などの表皮材を貼着し、意匠性を高めるのが好ましい。
【００２１】
デッキボード２は、自動車の座席の後方からバックドアに至る、荷物の載置部として通常利用される部分の床面を覆う大きさを有している。デッキボード２は、このように床面を覆うように配設されている。
【００２２】
孔部４の貫通孔３は、略方形（図では略長方形）に形成されている。孔部４は貫通孔３とこれを取り囲むデッキボード２の壁部分とから構成されたものである。
【００２３】
把手部５は、ストラップテープの両端部が紐又は固定部材で結合されループ状に形成されたものである。このストラップテープとしては、帯状の形状の、厚手に組繊したナイロン布製ベルトを用いるのが好ましい。この把手部５は、種々の構造が考えられる。例えば、図１、図２、図３に示す通り、上端部５ａ，下端部５ｂの厚みが大きくなっている構造であり、ストラップテープを長手方向に２つに折り返し、その端部を内側に折り曲げて４層に重ねて、結束させたものが例示される。この場合、上端部５ａの厚み（２枚重ねの部分）は貫設穴７の幅よりも狭く通過可能となっており、下端部５ｂの厚み（４枚重ねの部分）は、貫設穴７の幅よりも広くなっている。また、図４に示す通り、ストラップテープの両端部が折り返されて結束されて、両端部５ａ，５ｂが形成され、下端部５ｂの厚みの方が上端部５ａの厚みよりも厚くなっている。
【００２４】
このストラップテープを柔らかい素材から形成することによって、操作しやすくすることができる。柔軟性は適宜、設計できる。比較的硬い材質では、ベルトが安定して立ち上がった状態になるようにすることもできるし、寝た状態とすることもできる。また、把手部５を抜け止め部６の貫設穴７に挿入するだけ固定でき、抜け止め部６に取り付ける構造ではないため、ねじ等の取付部材が不要となり、簡素な構成とすることができるし、取付部材のがたつきや強度低下の心配も生じない。
【００２５】
このストラップテープには、デッキボード２を持ち上げる際に比較的大きな応力が加わるが、下端部５ｂと貫設穴７の内面の間で引き起こされる摩擦力や下端部５ｂの厚みが抵抗力となって、ストラップテープの下端部５ｂが貫設穴７から上方には抜けることができない。
【００２６】
抜け止め部６は、樹脂成形品であり、図１、図２、図５に示す通り、把手部５を挿通させる略方形の中央部に縦長に形成される貫設穴７と、上部の板部６ａと、板部６ａから下方に二股状に延び出すとともに下端部が自由端部を構成する一対の対向する板形状の弾性拘止部６ｂとを備えている。弾性拘止部６ｂは、その基部の外側に左右対称に一対が設けられる凹部６ｃと、凹部６ｃと連続する左右一対の下部６ｄと、を備えている。板部６ａと、弾性拘止部６ｂとが一体に形成された１つの樹脂成形品をなすものである。
【００２７】
一対の弾性拘止部６ｂは弾性変形可能な一対の爪形状であり、互いの距離が変化できるようになっている。このため、抜け止め部６を孔部４に固定する際には、抜け止め部６の弾性拘止部６ｂを貫通孔３に上方から差し込み、下方に押し続けると、弾性拘止部６ｂの相互の距離が近づき、弾性拘止部６ｂが貫通孔３の下端から下方に抜け出すと、その弾性力で拡開する。孔部４により弾性拘止部６ｂが規制されることで、凹部６ｃが貫通孔３に嵌め込まれる。孔部４に対して、上下方向から、それぞれ、板部６ａと、弾性拘止部６ｂにより弾性的に挟持され、抜け止め部６が孔部４に固定される。
【００２８】
板部６ａの面積は貫通孔３の断面積より大きく設定されている。一対の凹部６ｃの外側面同士の距離は、貫通孔３の孔径よりも小さく設定されている。弾性拘止部６ｂの外面の頂点同士の距離は、単体の状態では、貫通孔３の孔径よりも大きく設定されている。
【００２９】
貫設穴７の断面積は、貫通孔３の断面積よりも小さく設定されている。貫設穴７の横幅はストラップテープの下端部５ｂの厚みよりも小さく設定され、取り付けられた状態では、把手部５を貫設穴７から上方へは抜くことができないようになっている。
【００３０】
把手部５と抜け止め部６を孔部４に固定する際には、まず、図３に示す通り、把手部５を抜け止め部６の貫設穴７に挿通する。つぎに、抜け止め部６を上方から孔部４に押し込んで弾性変形させて固定する。最後に、把手部５を上方に引っ張ると、弾性拘止部６ｂが弾性的に拡開し、下端部５ｂを貫設穴７にしっかりと係合させることができる。また、貫設穴７の内壁から把手部５の下端部５ｂに左右から圧縮力が加わり、把手部５が左右から緊締されることにより、また、摩擦力によっても、把手部５の下端部５ｂが抜け止め部６に固定される。
【００３１】
一旦、抜け止め部６を貫通孔３に固定し、把持部５を抜け止め部６に係合させると、摩擦力や弾性拘止部６ｂの弾性力等よる逆止的な緊締作用が働き、固定を解除することは困難である。
【００３２】
図６（ａ）（ｂ）に示す通り、把手部５の表面に標章８を設けることができる。例えば、把持部５の表面に刺繍、印刷、塗布等により、車種名、会社名、所有者名等の標章８を形成できる。これにより、車両の所有者にステータスを提供し、満足感を与えることができ、装飾効果も高めることができる。
【００３３】
以上説明した本実施例１のデッキボード２の把手構造１の作用・効果について説明すると、簡単な構造で、デッキボード２に簡単な操作で固定された抜け止め部６から把手部５が外れ難い。摩擦力や弾性力でしっかりと固定されるので、一旦固定された後は、把手部５が簡単に戻らず、外れ難い。把手部５を孔部４に挿入し引っ張るだけで固定されるので、取付構造が不要となり、コストが低減される。デザイン性が優れ、着色、例えば、黒色または銀色等にすると見栄えもさらによくなる。孔部４も抜け止め部６に塞がれて、見えないので、美観が向上する。
【００３４】
つぎに本発明の実施例２のデッキボード１０２の把手構造１０１について、図７、図８を参照して説明する。実施形態１と相違する点は、実施例１では、把手部５がストラップテープであり、抜け止め部６に貫設穴７が形成され、貫設穴７に把手部５が抜き取り困難に挿通されている構造であるが、実施例２では、把手部１０５と、抜け止め部１０６とが合体して、全体が合成樹脂の一体成形品であることである。その他は、部品番号を１００番台として番号を整合させている。
【００３５】
すなわち、実施例２のデッキボード１０２の把手構造１０１は、デッキボード１０２に貫通孔１０３が穿孔されることにより形成される孔部１０４と、孔部１０４の貫通孔１０３に対して装着可能な把手部１０５と、把手部１０５の貫通孔１０３からの抜けを防止する抜け止め部１０６と、を備え、把手部１０５と抜け止め部１０６とが一体化された合成樹脂成形品となっている。デッキボード１０２の貫通孔１０３に把手部１０５を下方から差し込み、抜け止め部１０６が孔部１０４に係合することにより、把手部１０５が固定状態となることを特徴とする。
【００３６】
デッキボード１０２の把手構造１０１の形状、構造等の詳細について、図７、図８を参照して、より具体的に説明する。
【００３７】
孔部１０４の貫通孔１０３は、方形または方形の角部が丸く形成されたもの、小判形状、楕円形状等の適宜形状に形成されている。孔部１０４は貫通孔１０３とこれを取り囲むデッキボード１０２の部分とから構成されたものである。
【００３８】
把手部１０５は、抜け止め部１０６の上端部から斜めに延び出し、波型に形成される板材である。つまり、把手部１０５を寝かせた形状とすることで、邪魔にならないようにしている。把持部１０５は貫通孔１０３を通過できるような大きさになっている。この把手部１０５には、貫通穴１０９が形成されている。貫通穴１０９に指を入れて把手部１０５を操作しやすくするためである。貫通孔１０９に代えて凹み部であってもよい。
【００３９】
抜け止め部１０６は、図７、図８に示す通り、上部にある半球状体１０６ａと、半球状体１０６ａの下部に設ける凹部１０６ｃと、凹部１０６ｃと接続する板状の下部１０６ｄと、を備えている。半球状体１０６ａの外周から縮径し凹部１０６ｃが形成され、凹部１０６ｃの外周から拡径し下部１０６ｄが形成されている。半球状体１０６ａの外径よりも、下部１０６ｄの外径が大きくなっている。
【００４０】
抜け止め部１０６を孔部１０４に固定する場合、把持部１０５を下方から上方に向かって貫通孔１０３に挿通し、把手部１０５の半球状部１０６ａを上端部から貫通孔１０３に下方から差し込み、上方に引張り続けると半球状体１０６ａが弾性変形して貫通孔１０３を滑るようにして抜けた後、弾性力で拡開して、凹部１０６ｃが貫通孔１０３に嵌め込まれ、下部１０６ｄが貫通孔１０３を通過できないので、孔部１０４が上下方向から半球状部１０６ａと下部１０６ｄにより弾性的に挟持される。
【００４１】
一旦、抜け止め部１０６を孔部１０４を固定すると、半球状部１０６ａの縁部や下部１０６ｄの上面による逆止作用が働き、固定を解除することは困難である。
【００４２】
以上説明した本実施形態２のデッキボード１０２の把手構造１０１の作用・効果について説明すると、簡単な構造で、デッキボード１０２の孔部１０４に簡単な操作で抜け止め部１０６が固定され、また、把手部１０５と抜け止め部１０６とが一体成型され、抜け止め部１０６の弾性力で孔部１０４に拘束されているので、外れ難い。抜け止め部１０６の弾性力でしっかりと固定されるので、一旦、固定された後は、抜け止め部１０６が簡単には外れない。把手部１０５を孔部１０４に挿入し引っ張るだけで固定されるので、取付構造が不要となり、コストが低減される。デザイン性が優れ、着色、例えば、黒色、銀色等にすると見栄えもさらによくなる。孔部１０４は抜け止め部１０６に塞がれて、見えないので、美観が向上する。
【００４３】
なお、前記実施例１，２において、把手部５、抜け止め部６、把手部１０５、抜け止め部１０６の材料としては、ポリエチレン、ポリプロピレン、ポリスチレン、ポリ塩化ビニル、アクリル、アクリロニトリルブタジエンスチレン樹脂、ポリエチレンテレフタレート、ナイロン、ポリアミド、ポリカーボネイト、ポリアセタール等の熱可塑性樹脂や、フェノール樹脂、エポキシ樹脂、メラミン樹脂等の熱硬化性樹脂や、ガラス繊機強化プラスチック、炭素繊維強化プラスチック等の複合材料を用いることができる。
【００４４】
以上、本発明は上記実施例に限定されるものではなく、本発明の技術的範囲に属する限り種々の形態を採り得るものである。また、本発明の技術的思想を逸脱しない範囲において、改変等を加えることができるものであり、それらの改変、均等物等も本発明の技術的範囲に含まれることとなる。
【符号の説明】
【００４５】
１・・・デッキボードの把手構造
２・・・デッキボード
３・・・貫通孔
４・・・孔部
５・・・把手部
５ａ・・・上端部
５ｂ・・・下端部
６・・・抜け止め部
６ａ・・・板部
６ｂ・・・弾性拘止部
６ｃ・・・凹部
６ｄ・・・下部
７・・・貫設穴
８・・・標章
１０１・・・デッキボードの把手構造
１０３・・・貫通孔
１０４・・・孔部
１０５・・・把手部
１０６・・・抜け止め部
１０６ａ・・・半球状体
１０６ｃ・・・凹部
１０６ｄ・・・下部
１０９・・・貫通穴
【図１】
2015105058.tif 000003
【図２】
2015105058.tif 000004
【図３】
2015105058.tif 000005
【図４】
2015105058.tif 000006
【図５】
2015105058.tif 000007
【図６】
2015105058.tif 000008
【図７】
2015105058.tif 000009
【図８】
2015105058.tif 000010